(57)【特許請求の範囲】
【請求項１】
顔写真情報照合部と、
受付端末と、
文字情報照合部と、を備え、
前記顔写真情報照合部は、前記受付端末が宿泊者のチェックインの申し込みを示す入力を受け付けると、前記チェックイン時においてパスポートからスキャンされたチェックイン時パスポート顔写真情報と、前記チェックイン時において前記宿泊者を撮影したチェックイン時撮影顔写真情報とを照合し、
前記文字情報照合部は、前記受付端末が前記宿泊者のチェックインの申し込みを示す入力を受け付けると、その入力によって指定された予約番号又はその宿泊者の氏名を用いてその宿泊者の予約情報を取得し、前記チェックイン時において前記パスポートからスキャンされたチェックイン時パスポート文字情報と、前記取得した予約情報とを照合し、
前記受付端末は、前記チェックイン時パスポート顔写真情報が示す人物と前記チェックイン時撮影顔写真情報が示す人物とが一致し、なおかつ、前記チェックイン時パスポート文字情報と前記取得した予約情報に含まれる前記宿泊者の情報とが一致した場合、前記宿泊者が予約した部屋の情報を表示し、前記宿泊者が予約した部屋のカードキーを発行する、
受付システム。
【請求項２】
前記顔写真情報照合部は、前記受付端末が前記宿泊者のチェックアウトの申し込みを示す入力を受け付けると、前記チェックアウト時においてパスポートからスキャンされたチェックアウト時パスポート顔写真情報と、前記チェックアウト時において前記宿泊者を撮影したチェックアウト時撮影顔写真情報とを照合し、
前記受付端末は、前記チェックアウト時パスポート顔写真情報が示す人物と前記チェックアウト時撮影顔写真情報が示す人物とが一致した場合、チェックアウトの処理を実行する、
ことを特徴とする請求項１に記載の受付システム。
【請求項３】
前記文字情報照合部は、前記受付端末が前記宿泊者のチェックアウトの申し込みを示す入力を受け付けると、前記チェックアウト時において前記パスポートからスキャンされたチェックアウト時パスポート文字情報と、前記宿泊者の前記予約情報とを照合する、
ことを特徴とする請求項１又は２に記載の受付システム。
【請求項４】
前記パスポート文字情報、及び前記宿泊者の前記予約情報は、前記パスポートの所持者の姓名、国籍、住所、旅券番号、及び生年月日の少なくとも１つを含む、
ことを特徴とする請求項１から３のいずれか１項に記載の受付システム。
【請求項５】
コンピュータによって実行される受付方法であって、
宿泊者のチェックインの申し込みを示す入力を受け付けると、前記チェックイン時においてパスポートからスキャンされたチェックイン時パスポート顔写真情報と、前記チェックイン時において前記宿泊者を撮影したチェックイン時撮影顔写真情報とを照合し、
前記宿泊者のチェックインの申し込みを示す入力を受け付けると、その入力によって指定された予約番号又はその宿泊者の氏名を用いてその宿泊者の予約情報を取得し、前記チェックイン時において前記パスポートからスキャンされたチェックイン時パスポート文字情報と、前記取得した予約情報とを照合し、
前記チェックイン時パスポート顔写真情報が示す人物と前記チェックイン時撮影顔写真情報が示す人物が一致し、なおかつ、前記チェックイン時パスポート文字情報と前記取得した予約情報に含まれる前記宿泊者の情報とが一致した場合、前記宿泊者が予約した部屋の情報を表示し、前記宿泊者が予約した部屋のカードキーを発行する、
受付方法。
【請求項６】
受付システムにおいて動作するコンピュータに、
宿泊者のチェックインの申し込みを示す入力を受け付けた後、前記チェックイン時においてパスポートからスキャンされたチェックイン時パスポート顔写真情報と、前記チェックイン時において前記宿泊者を撮影したチェックイン時撮影顔写真情報とを照合させ、
前記宿泊者のチェックインの申し込みを示す入力を受け付けると、その入力によって指定された予約番号又はその宿泊者の氏名を用いてその宿泊者の予約情報を取得し、前記チェックイン時において前記パスポートからスキャンされたチェックイン時パスポート文字情報と、前記取得した予約情報とを照合させ、
前記照合の結果、前記チェックイン時パスポート顔写真情報が示す人物と前記チェックイン時撮影顔写真情報が示す人物とが一致し、なおかつ、前記チェックイン時パスポート文字情報と前記取得した予約情報に含まれる前記宿泊者の情報とが一致した場合、前記宿泊者が予約した部屋の情報を表示させ、前記宿泊者が予約した部屋のカードキーを発行させる、
ことを実行させるプログラム。
【発明の詳細な説明】
【技術分野】
【０００１】
本発明は受付システム、受付方法、及びプログラムに関する。
【背景技術】
【０００２】
特許文献１に開示の宿泊施設用精算機は、チェックイン処理と、チェックアウト処理とを実行することができる。チェックイン処理は、支払い処理と、発行処理とを実行可能とする。支払い処理は、宿泊に関する支払いを実行可能とする。発行処理は、支払い処理の完了後、客室を解錠するためのカードキーを、宿泊人数に応じた枚数を上限として発行可能とする。チェックアウト処理は、チェックイン処理で発行した発行枚数に基づいて決定された最大回収数を上限としてカードキーを回収可能とすることを特徴とする。
【先行技術文献】
【特許文献】
【０００３】
【特許文献１】特開２０１９−０４６１２４号公報
【発明の概要】
【発明が解決しようとする課題】
【０００４】
このような宿泊施設用精算機では、チェックイン処理等をする人物が宿泊者本人か否かを確認することができることが要求されている。
【０００５】
本開示の目的は、上述した課題を鑑み、チェックイン時において宿泊者の本人確認をすることができる受付システム、受付方法、及びプログラムを提供することにある。
【課題を解決するための手段】
【０００６】
本開示の実施の形態の一つに係る受付システムは、
顔写真情報照合部と、
受付端末と、を備え、
前記顔写真情報照合部は、前記受付端末が宿泊者のチェックインの申し込みを示す入力を受け付けると、前記チェックイン時においてパスポートからスキャンされたチェックイン時パスポート顔写真情報と、前記チェックイン時において前記宿泊者を撮影したチェックイン時撮影顔写真情報とを照合し、
前記受付端末は、前記顔写真情報照合部が照合した結果、前記チェックイン時パスポート顔写真情報、及び前記チェックイン時撮影顔写真情報が示す人物が一致した場合、前記宿泊者が予約した部屋の情報を表示し、前記宿泊者が予約した部屋のカードキーを発行する。
【０００７】
本開示の実施の形態の一つに係る受付方法は、
宿泊者のチェックインの申し込みを示す入力を受け付けると、前記チェックイン時においてパスポートからスキャンされたチェックイン時パスポート顔写真情報と、前記チェックイン時において前記宿泊者を撮影したチェックイン時撮影顔写真情報とを照合し、
前記照合した結果、前記チェックイン時パスポート顔写真情報、及び前記チェックイン時撮影顔写真情報が示す人物が一致した場合、前記宿泊者が予約した部屋の情報を表示し、前記宿泊者が予約した部屋のカードキーを発行する。
【０００８】
本開示の実施の形態の一つに係るプログラムは、
受付システムにおいて動作するコンピュータに、
宿泊者のチェックインの申し込みを示す入力を受け付けた後、前記チェックイン時においてパスポートからスキャンされたチェックイン時パスポート顔写真情報と、前記チェックイン時において前記宿泊者を撮影したチェックイン時撮影顔写真情報とを照合させ、
前記照合の結果、前記チェックイン時パスポート顔写真情報、及び前記チェックイン時撮影顔写真情報が示す人物が一致した場合、前記宿泊者が予約した部屋の情報を表示させ、前記宿泊者が予約した部屋のカードキーを発行させる、
ことを実行させる。
【発明の効果】
【０００９】
本開示によれば、チェックイン時において宿泊者の本人確認をすることができる受付システム、受付方法、及びプログラムを提供することができる。
【図面の簡単な説明】
【００１０】
【図１】実施の形態にかかる受付システムの構成を示すブロック図である。
【図２】実施の形態１にかかる受付システムの一構成例を示すブロック図である。
【図３】実施の形態１にかかる受付システムの一動作例を示すフローチャートである。
【図４】実施の形態１にかかる受付システムの別の一動作例を示すフローチャートである。
【図５】受付システムに含まれるハードウェア構成の一例を示す図である。
【発明を実施するための形態】
【００１１】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。
【００１２】
（実施の形態）
以下、図１を参照して本発明の実施の形態について説明する。図１は、実施の形態にかかる受付システムの構成を示すブロック図である。
【００１３】
図１に示すように、実施の形態に係る受付システム１００は、顔写真情報照合部１と、受付端末２とを備える。受付システム１００は、宿泊施設の受付に利用することができる。宿泊施設は、たとえば、ホテル、旅館、民泊施設等である。
【００１４】
顔写真情報照合部１は、複数の顔写真情報を照合し、複数の顔写真情報が示す人物が同一か否かを判定する。複数の顔写真情報は、例えば、チェックイン時パスポート顔写真情報である。チェックイン時パスポート顔写真情報は、チェックイン時においてパスポートからスキャンされたものである。顔写真情報照合部１は、受付端末２が宿泊者のチェックインの申し込みを示す入力を受け付けると、チェックイン時パスポート顔写真情報と、チェックイン時撮影顔写真情報とを照合する。
【００１５】
受付端末２は、顔写真情報照合部１が照合した結果、チェックイン時パスポート顔写真情報、及びチェックイン時撮影顔写真情報が示す人物が一致した場合、宿泊者が予約した部屋（ゲストルームとも称する。）の情報を表示する。さらに、受付端末２は、宿泊者が予約した部屋のカードキーを発行する。
【００１６】
受付システム１００の構成によれば、チェックインの申し込みを示す入力をした人物を撮影した顔写真画像と、パスポートに記載の顔写真画像とに基づいて、宿泊者本人か否かを判定することができる。また、宿泊施設の受付がいなくても、受付システム１００が宿泊者の本人確認をすることができる。顔写真情報照合部１が照合し宿泊者の本人確認をした結果に基づいて、受付端末２は、宿泊者が予約した部屋の情報を表示し、その部屋のカードキーを発行する。よって、宿泊施設の受付の無人化を図ることができる。また、宿泊者の利便性向上も図ることができる。
【００１７】
（実施の形態１）
図２を参照して実施の形態１について説明する。図２は、実施の形態１にかかる受付システムの一構成例を示すブロック図である。
【００１８】
図２に示すように、受付システム１００ａは、顔写真情報照合部１ａと、文字情報照合部１ｂと、キオスク端末２２と、ワークフロー制御サーバ３とを備える。また、受付システム１００ａは、適宜、ホテルサーバ４、ホテル予約管理システム５、支払管理サーバ６、電子メールサーバ７、カードキー管理システム８、及びカードキーリーダ９の少なくとも１つを備えてもよい。
【００１９】
顔写真情報照合部１ａは、所定の人物の顔写真を示す複数の顔写真情報を照合し、当該複数の顔写真情報が示す顔写真の人物が一致するか否かを確認することができる。顔写真情報照合部１ａは、例えば、顔認証システムであってもよい。照合結果が一致するという意味はそれぞれ取得した顔データの一致度を比較し、その一致度が判定値Ｊ１を超えた場合をいう。判定値Ｊ１は、受付システム１００ａの使用環境に応じて変更するとよい。受付システム１００ａの使用環境は、例えば、ホテルの立地、宿泊料の価格帯、他の補助的な照合の使用有無、又はこれらを組み合わせたもの等である。図２に示す顔写真情報照合部１ａは、ワークフロー制御サーバ３と各種情報を送受信するように設けられているが、ワークフロー制御サーバ３内やキオスク端末２２内に設けられていてもよい。
【００２０】
文字情報照合部１ｂは、複数の文字情報を照合し、当該複数の文字情報が示す情報が一致するか否かを確認することができる。文字情報照合部１ｂは、例えば、文字認証システムであってもよい。図２に示す文字情報照合部１ｂは、ワークフロー制御サーバ３と各種情報を送受信するように設けられているが、ワークフロー制御サーバ３内やキオスク端末２２内に設けられていてもよい。
【００２１】
キオスク端末２２は、カードキーライタ２ａと、スキャナ２ｂと、カメラ２ｃと、入出力デバイス２ｄと、プリンタ２ｅとを備える。キオスク端末２２は、図１に示す受付端末２の一具体例である。キオスク端末２２として、例えば、パーソナルコンピュータを用いて構成してもよい。
【００２２】
カードキーライタ２ａは、ホテルの各部屋に対応するカードキーＫ１を作成する。スキャナ２ｂは、パスポートＰ１をスキャンし、パスポートＰ１の顔写真情報を生成する。カメラ２ｃは、キオスク端末２２を操作する、又はキオスク端末２２の近傍にいる宿泊者ＧＳ１を撮影する。カメラ２ｃは、宿泊者ＧＳ１の顔写真情報を生成する。入出力デバイス２ｄは、宿泊者ＧＳ１からのチェックイン、又はチェックアウトの入力を受け付ける。入出力デバイス２ｄは、例えば、キーボード、ディスプレイ、タッチパネル、スピーカ、集音器等又はこれらの組み合わせたものであってもよい。プリンタ２ｅは、領収書等を印刷する。
【００２３】
ワークフロー制御サーバ３は、顔写真情報照合部１ａと、文字情報照合部１ｂと、キオスク端末２２と、ホテルサーバ４と、カードキー管理システム８と有線又は無線を介して接続され、適宜、各種情報を送受信する。
【００２４】
ホテルサーバ４は、記憶装置４ａを備え、記憶装置４ａは、部屋情報を格納する。この格納した部屋情報は、例えば、部屋番号、カードキー認証鍵、お客様詳細情報、チェックイン日時、チェックアウト日時、デポジット額、課金情報である。
【００２５】
クレジットカードリーダ４ｂは、ホテル受付に設けられており、宿泊者ＧＳ１のクレジットカードＣ１を読み込む。ホテルサーバ４は、クレジットカードリーダ４ｂからクレジットカードＣ１の情報を取得する。
【００２６】
ホテル予約管理システム５は、記憶装置５ａを備え、記憶装置５ａは、予約情報を格納する。予約情報は、例えば、予約番号と、詳細予約情報とである。詳細予約情報は、例えば、宿泊者の名前、メールアドレス、国籍、住所、パスポートNo.（旅券番号）、誕生日、部屋タイプ、チェックイン日時、チェックアウト日時、滞在期間、喫煙部屋又は禁煙部屋の希望、予約金額等である。宿泊者ＧＳ１がネットワーク１０、及びホテル予約管理システム５を介して詳細予約情報を入力し、詳細予約情報を記憶装置５ａに格納している。
【００２７】
ホテル予約管理システム５、支払管理サーバ６、及び電子メールサーバ７は、ネットワーク１０を介して金融機関ＧＷ（ゲートウェイ）１１と各種情報を送受信する。金融機関は、金融機関ＧＷ１１を介して信用調査やデポジット額支払いの依頼を受け付ける。
【００２８】
カードキーリーダ９は、カードキーＫ１を読み込む。カードキー管理システム８は、カードキーリーダ９が読み込むカードキーＫ１に応じて、宿泊者の部屋（ゲストルーム）を開錠したり、又は施錠したりする。
【００２９】
（チェックイン動作）
図３を参照して、実施の形態１にかかる受付システムの一動作例について説明する。図３は、実施の形態１にかかる受付システムの一動作例を示すフローチャートである。
【００３０】
キオスク端末２２が宿泊者ＧＳ１からチェックインの申し込みの入力を受け付ける（チェックイン要求ステップＳＴ１１）。具体的には、キオスク端末２２の入出力デバイス２ｄのディスプレイ又はタッチパネルが、初期選択画面を表示する。入出力デバイス２ｄは、宿泊者ＧＳ１による初期選択画面へチェックインの申し込みを示す入力を受け付け、さらに、予約番号、又は宿泊者ＧＳ１の名前の入力を受け付ける。予約番号、又は宿泊者ＧＳ１の名前は、宿泊者ＧＳ１が、チェックイン前にあらかじめ、ネットワーク１０経由でホテル予約管理システム５を用いて予約し、記憶装置５ａに記憶されたものである。
【００３１】
続いて、キオスク端末２２のスキャナ２ｂを用いてパスポートＰ１をスキャンしつつ、カメラ２ｃを用いて宿泊者ＧＳ１の顔写真を撮影する（パスポート情報と顔写真の取り込みステップＳＴ１２）。
【００３２】
具体的には、キオスク端末２２の入出力デバイス２ｄにパスポート読み取りボタンを表示する。宿泊者ＧＳ１によるパスポート読み取りボタンの入力を受け付ける。スキャナ２ｂを用いてパスポートＰ１をスキャンして、パスポート顔写真情報と、パスポート文字情報とを取得する。パスポート顔写真情報が示す顔写真と、パスポート文字情報が示す情報とをキオスク端末２２の入出力デバイス２ｄに表示する。パスポート文字情報が示す情報は、例えば、パスポート番号、有効期限、氏名、住所、誕生日等である。
【００３３】
また、キオスク端末２２の入出力デバイス２ｄに本人画像の撮影実行ボタンを表示するとともに、カメラ２ｃを用いて宿泊者ＧＳ１の顔写真を撮影し、この撮影した顔写真をキオスク端末２２の入出力デバイス２ｄに表示する。宿泊者ＧＳ１による撮影実行ボタンの押し込みの入力を受けることにより、その時点のカメラ２ｃが写している画像を撮影し、宿泊者ＧＳ１の顔写真情報を生成する。
【００３４】
続いて、パスポート顔写真情報と、宿泊者ＧＳ１の撮影顔写真情報とを照合し、本人確認を行う（本人確認ステップＳＴ１３）。
【００３５】
具体的には、キオスク端末２２は、パスポート顔写真情報と撮影顔写真情報とを添付して、ワークフロー制御サーバ３に顔認証要求する。ワークフロー制御サーバ３は、この要求された顔認証要求を顔写真情報照合部１ａに認証依頼する。顔写真情報照合部１ａは、受け取ったパスポート顔写真情報と撮影顔写真情報とがそれぞれ示す画像を比較し、同一人物である確率を算出して返信する。キオスク端末２２は、ワークフロー制御サーバ３を経由して、その算出した確率を受け取る。キオスク端末２２は、その算出した確率が、予め登録された閾値以上であった場合、宿泊者ＧＳ１本人を確認することができたと判定する。
【００３６】
また、パスポート文字情報と、記憶装置５ａに記憶された予約情報とを照合してもよい。この照合は、本人確認の補助として実行されてもよい。キオスク端末２２は、パスポート文字情報を添付して、ワークフロー制御サーバ３に文字認証要求する。ワークフロー制御サーバ３は、この要求された文字認証要求を文字情報照合部１ｂに認証依頼する。文字情報照合部１ｂは、受け取ったパスポート文字情報と、記憶装置５ａに記憶された宿泊者ＧＳ１の予約情報とを比較し、それらが同一内容であるか否かを判定して返信する。キオスク端末２２は、ワークフロー制御サーバ３を経由して、その判定した結果を受け取る。キオスク端末２２は、その算出した確率が、予め登録された閾値以上であった場合、宿泊者ＧＳ１本人を確認することができたと判定する。
【００３７】
続いて、本人確認結果に応じて、部屋のタイプや、禁煙部屋又は喫煙部屋の希望有無等を示して、予約詳細を確認する（予約詳細の確認ステップＳＴ１４）。
【００３８】
具体的には、キオスク端末２２は、宿泊者ＧＳ１によって入力された予約番号、又は宿泊者ＧＳ１の名前をキーとする。キオスク端末２２は、このキーを用いて、ワークフロー制御サーバ３、及びホテルサーバ４を経由してホテル予約管理システム５に、記憶装置５ａに記憶された予約情報の読み出しを依頼する。ホテルサーバ４は、ホテル予約管理システム５が読み出した予約情報を参照した後、予約情報に適合する現在提供可能な部屋を選択し、予約情報とともに返信する。キオスク端末２２は、受け取った情報を、チェックイン了承ボタンとともに表示する。キオスク端末２２は、宿泊者ＧＳ１によるチェックイン了承ボタンの入力を受け付けることにより、ワークフロー制御サーバ３を経由して、ホテルサーバ４の記憶装置４ａに記憶された部屋情報に、部屋番号、お客様の情報等を書き込む。
【００３９】
続いて、クレジットカードリーダ４ｂを用いてクレジットカードＣ１のクレジットカード情報を読み込み、デポジットを処理する（デポジット支払いステップＳＴ１５）。
【００４０】
具体的には、キオスク端末２２がデポジット支払いボタンを表示し、宿泊者ＧＳ１によるデポジット支払いボタンの入力を受け付ける。キオスク端末２２は、ワークフロー制御サーバ３、及びホテルサーバ４を経由して、クレジットカードリーダ４ｂにクレジットカードの読み込みを指示する。クレジットカードリーダ４ｂがクレジットカードＣ１を読み込み、クレジットカードＣ１の情報をホテルサーバ４に送信する。ホテルサーバ４は、支払管理サーバ６、及び金融機関ＧＷ１１を経由して金融機関へ、クレジットカードＣ１の情報等に基づく信用調査を行う。信用調査結果が問題なければ、ホテルサーバ４は記憶装置４ａに記憶された部屋情報に、デポジット額を記録する。また、ホテルサーバ４は、金融機関ＧＷ１１を経由して金融機関へデポジット額支払いを依頼する。
【００４１】
最後に、カードキーＫ１を作成する（カードキー作成ステップＳＴ１６）。具体的には、キオスク端末２２にカードキー書き込みボタンを表示し、宿泊者ＧＳ１によるカードキー書き込みボタンの入力を受け付ける。カードキーＫ１に、チェックインした部屋番号とその他認証に必要な認証鍵とを書き込む。キオスク端末２２は、カードキーＫ１をカードキーライタ２ａに載せるように促す内容を宿泊者ＧＳ１に対して表示してもよい。
【００４２】
以上より、パスポート顔写真情報と、チェックイン時における撮影顔写真情報とを照合し、キオスク端末２２にチェックインの申し込みをした宿泊者ＧＳ１と、ホテル予約管理システム５に宿泊を予約した人物とが、一致するか否かを確認する。よって、チェックイン時において宿泊者ＧＳ１の本人確認をすることができる。さらに、宿泊者ＧＳ１が予約した部屋の情報とその部屋のカードキーを、宿泊者に提供する。そのため、宿泊者は、部屋番号等の情報を入力する必要が無く、その部屋の情報とその部屋のカードキーとを取得することができ、また、人手により本人確認をする場合と比較し待ち時間が短縮でき、宿泊者の利便性向上を図ることができる。
また、本実施の形態１に係る受付システム１００ａは、パスポート顔写真情報と、チェックイン時における撮影顔写真情報とを照合し、事前に顔写真を登録する必要がないため、既存のホテル予約管理システム５を変更することなく、受付システム１００ａを導入することができる。
【００４３】
また、本実施の形態１に係る受付システム１００ａは、文字情報照合部１ｂをさらに備える。文字情報照合部１ｂは、キオスク端末２２が宿泊者ＧＳ１のチェックインの申し込みを示す入力を受け付けると、パスポート文字情報と、宿泊者ＧＳ１の予約情報とを照合する。また、本実施の形態１に係る受付システム１００ａは、チェックイン時において、パスポート文字情報、及び宿泊者予約情報は、パスポートの所持者の姓名、国籍、住所、旅券番号、及び生年月日の少なくとも１つを含む。そのため、さらに多くの情報について照合を行うことができる。よって、本人確認をさらに高い精度で行うことができる。例えば、双子などパスポートの顔写真情報と撮影顔写真情報が一致してしまう場合でも本人確認をすることができる。また、入力された宿泊者ＧＳ１の名前が同姓同名であっても宿泊者ＧＳ１を特定することができる。
【００４４】
（チェックアウト動作）
図４を参照して、実施の形態１にかかる受付システムの別の一動作例について説明する。図４は、実施の形態１にかかる受付システムの別の一動作例を示すフローチャートである。
【００４５】
キオスク端末２２が宿泊者ＧＳ１からチェックアウトの申し込みの入力を受け付ける（チェックアウト要求ステップＳＴ２１）。具体的には、キオスク端末２２の入出力デバイス２ｄのディスプレイ又はタッチパネルが、初期選択画面を表示する。入出力デバイス２ｄは、宿泊者ＧＳ１による初期選択画面へチェックアウトの申し込みを示す入力を受け付け、さらに、部屋番号、又は宿泊者ＧＳ１の名前の入力を受け付ける。部屋番号、又は宿泊者ＧＳ１の名前は、ホテルサーバ４の記憶装置４ａに記憶されている。
【００４６】
続いて、キオスク端末２２のスキャナ２ｂを用いてパスポートＰ１をスキャンしつつ、カメラ２ｃを用いて宿泊者ＧＳ１の顔写真を撮影する（パスポート情報と顔写真の取り込みステップＳＴ２２）。
【００４７】
具体的には、パスポート情報と顔写真の取り込みステップＳＴ１２（図３参照）と同様に、キオスク端末２２の入出力デバイス２ｄにパスポート読み取りボタンを表示する。宿泊者ＧＳ１によるパスポート読み取りボタンの入力を受け付ける。スキャナ２ｂを用いてパスポートＰ１をスキャンして、パスポート顔写真情報と、パスポート文字情報とを取得する。パスポート顔写真情報が示す顔写真と、パスポート文字情報が示す情報とをキオスク端末２２の入出力デバイス２ｄに表示する。また、キオスク端末２２の入出力デバイス２ｄに本人画像の撮影実行ボタンを表示するとともに、カメラ２ｃを用いて宿泊者ＧＳ１の顔写真を撮影し、この撮影した顔写真をキオスク端末２２の入出力デバイス２ｄに表示する。宿泊者ＧＳ１による撮影実行ボタンの押し込みの入力を受けることにより、その時点のカメラ２ｃが写している画像を撮影し、宿泊者ＧＳ１の撮影顔写真情報を生成する。
【００４８】
続いて、パスポート顔写真情報と、宿泊者ＧＳ１の撮影顔写真情報とを照合し、本人確認を行う（本人確認ステップＳＴ２３）。
【００４９】
具体的には、本人確認ステップＳＴ１３と同様に、キオスク端末２２は、パスポート顔写真情報と撮影顔写真情報とを添付して、ワークフロー制御サーバ３に顔認証要求する。ワークフロー制御サーバ３は、この要求された顔認証要求を顔写真情報照合部１ａに認証依頼する。顔写真情報照合部１ａは、受け取ったパスポート顔写真情報と撮影顔写真情報とがそれぞれ示す画像を比較し、同一人物である確率を算出して返信する。キオスク端末２２は、ワークフロー制御サーバ３を経由して、その算出した確率を受け取る。キオスク端末２２は、その算出した確率が、予め登録された閾値以上であった場合、宿泊者ＧＳ１本人を確認することができたと判定する。
【００５０】
また、パスポート文字情報と、記憶装置４ａに記憶されたお客様詳細情報とを照合してもよい。この照合は、本人確認の補助として実行されてもよい。キオスク端末２２は、パスポート文字情報を添付して、ワークフロー制御サーバ３に文字認証要求する。ワークフロー制御サーバ３は、この要求された文字認証要求を文字情報照合部１ｂに認証依頼する。文字情報照合部１ｂは、受け取ったパスポート文字情報と、記憶装置４ａに記憶された宿泊者ＧＳ１のお客様詳細情報とを比較し、それらが同一内容であるか否かを判定して返信する。キオスク端末２２は、ワークフロー制御サーバ３を経由して、その判定した結果を受け取る。キオスク端末２２は、その算出した確率が、予め登録された閾値以上であった場合、宿泊者ＧＳ１本人を確認することができたと判定する。
【００５１】
続いて、本人確認結果に応じて、客室への課金情報を表示し、精算情報を確認する（精算情報の確認ステップＳＴ２４）。
【００５２】
具体的には、キオスク端末２２は、宿泊者ＧＳ１によって入力された部屋番号、又は宿泊者ＧＳ１の名前をキーとして、ワークフロー制御サーバ３を経由してホテルサーバ４に部屋情報の読み出しを依頼する。キオスク端末２２は、読み出した部屋情報にある課金情報を、チェックアウト了承ボタンとともに表示する。キオスク端末２２は、宿泊者ＧＳ１によるチェックアウト了承ボタンの入力を受け付けることにより、ワークフロー制御サーバ３を経由して、ホテルサーバ４の記憶装置４ａに記憶された部屋情報に、チェックアウト日時を書き込む。
【００５３】
続いて、クレジットカードリーダ４ｂを用いてクレジットカードＣ１のクレジットカード情報を読み込み、宿泊費や課金された費用を支払う（課金支払いステップＳＴ２５）。
【００５４】
具体的には、キオスク端末２２に清算ボタンを表示し、宿泊者ＧＳ１による精算ボタンの入力を受け付ける。キオスク端末２２は、ワークフロー制御サーバ３、及びホテルサーバ４経由して、クレジットカードリーダ４ｂにクレジットカードＣ１の読み込みを指示する。クレジットカードリーダ４ｂがクレジットカードＣ１を読み込み、クレジットカードＣ１の情報をホテルサーバ４に送信する。ホテルサーバ４は、支払管理サーバ６、及び金融機関ＧＷ１１を経由して金融機関へ信用調査を行う。信用調査結果が問題なければ、ホテルサーバ４は、課金情報に基づいて、金融機関ＧＷ１１を経由して金融機関へ支払いを依頼する。なお、デポジットは、別途ホテル側の確認が済んだ後、同様の流れで清算される。
【００５５】
最後に、領収書を発行する（領収書発行ステップＳＴ２６）。
【００５６】
具体的には、キオスク端末２２に、領収書をプリンタを用いて印字する領収書印字ボタン、及び宿泊者ＧＳ１のメールアドレスに領収書データを送付する領収書送付ボタンを表示する。
【００５７】
キオスク端末２２は、宿泊者ＧＳ１による領収書印字ボタンの入力を受け付けた場合、プリンタ２ｅに印字する。
【００５８】
キオスク端末２２は、宿泊者ＧＳ１による領収書送付ボタンの入力を受け付けた場合、ホテルサーバ４の記憶装置４ａに記憶されたお客様詳細情報から読み出して、宿泊者ＧＳ１のメールアドレスを取得する。また、このような場合、キオスク端末２２は、宿泊者ＧＳ１によって入力を受けることによって、宿泊者ＧＳ１のメールアドレスを取得してもよい。そして、キオスク端末２２は、ワークフロー制御サーバ３を経由して電子メールサーバ７に対して、宿泊者ＧＳ１のメールアドレスへ領収書をメール送信することを依頼する。
【００５９】
以上より、パスポート顔写真情報と、チェックアウト時における撮影顔写真情報とを照合し、キオスク端末２２にチェックアウトの申し込みをした宿泊者ＧＳ１と、ホテル予約管理システム５に宿泊を予約した人物とが、一致するか否かを確認する。よって、チェックアウト時において宿泊者ＧＳ１の本人確認をすることができる。
【００６０】
また、本実施の形態１に係る受付システム１００ａは、宿泊者ＧＳ１が宿泊した部屋の課金情報を表示し、その領収書を発行する。そのため、宿泊者ＧＳ１は、部屋番号等の情報を入力する必要が無く、その部屋の課金情報と、その領収書又はその領収書データとを取得することができ、また、人手により本人確認をする場合と比較し待ち時間が短縮でき、宿泊者の利便性向上を図ることができる。
また、本実施の形態１に係る受付システム１００ａは、チェックアウト時に本人確認をすることで、他人にチェックアウトされてしまうことを防ぐことができる。
【００６１】
また、本実施の形態１に係る受付システム１００ａは、文字情報照合部１ｂをさらに備える。文字情報照合部１ｂは、キオスク端末２２が宿泊者ＧＳ１のチェックアウトの申し込みを示す入力を受け付けると、パスポート文字情報と、記憶装置４ａに記憶された宿泊者ＧＳ１のお客様詳細情報とを照合する。また、本実施の形態１に係る受付システム１００ａは、チェックアウト時において、パスポート文字情報、及び宿泊者予約情報は、パスポートの所持者の姓名、国籍、住所、旅券番号、及び生年月日の少なくとも１つを含む。そのため、さらに多くの情報について照合を行うことができる。よって、本人確認をさらに高い精度で行うことができる。
【００６２】
（他の実施の形態等）
なお、上記した実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【００６３】
例えば、上記実施の形態に係る受付システム１００は、次のようなハードウェア構成を備えることができる。図５は、受付システムに含まれるハードウェア構成の一例を示す図である。
【００６４】
図５に示す装置２００は、インタフェース２０３とともに、プロセッサ２０１及びメモリ２０２を備える。上述した実施の形態で説明した受付システム１００は、プロセッサ２０１がメモリ２０２に記憶されたプログラムを読み込んで実行することにより実現される。つまり、このプログラムは、プロセッサ２０１を、図１に示す受付システム１００又はその一部として機能させるためのプログラムである。このプログラムは、図１に示す受付システム１００に、受付システム１００又はその一部における処理を実行させるためのプログラムであると言える。
【００６５】
上述したプログラムは、様々なタイプの非一時的なコンピュータ可読媒体（non-transitory computer readable medium）を用いて格納され、コンピュータ（情報通知装置を含むコンピュータ）に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ、ＥＰＲＯＭ、フラッシュＲＯＭ、ＲＡＭ）を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６６】
さらに、上述した様々な実施の形態において、受付システム１００における処理の手順を説明したように、本発明は処理方法としての形態も採り得る。
【符号の説明】
【００６７】
１００、１００ａ  受付システム
１、１ａ  顔写真情報照合部                １ｂ  文字情報照合部
２  受付端末                              ２２  キオスク端末
２ａ  カードキーライタ                    ２ｂ  スキャナ
２ｃ  カメラ                              ２ｄ  入出力デバイス
２ｅ  プリンタ
３  ワークフロー制御サーバ
４  ホテルサーバ
４ａ  記憶装置                            ４ｂ  クレジットカードリーダ
５  ホテル予約管理システム
５ａ  記憶装置
６  支払管理サーバ                        ７  電子メールサーバ
８  カードキー管理システム                ９  カードキーリーダ
１０  ネットワーク                        １１  金融機関ＧＷ１１
２００  装置                              ２０１  プロセッサ
２０２  メモリ                            ２０３  インタフェース
Ｃ１  クレジットカード                    Ｐ１  パスポート
ＧＳ１  宿泊者                            Ｋ１  カードキー
ＳＴ１１  チェックイン要求ステップ        ＳＴ１２  パスポート情報と顔写真の取り込みステップ
ＳＴ１３  本人確認ステップ                ＳＴ１４  予約詳細の確認ステップ
ＳＴ１５  デポジット支払いステップ        ＳＴ１６  カードキー作成ステップ
ＳＴ２１  チェックアウト要求ステップ      ＳＴ２２  パスポート情報と顔写真の取り込みステップ
ＳＴ２３  本人確認ステップ                ＳＴ２４  精算情報の確認ステップ
ＳＴ２５  課金支払いステップ              ＳＴ２６  領収書発行ステップ
【要約】
【課題】宿泊者の本人確認をすることができる受付システム、受付方法、及びプログラムの提供。
【解決手段】受付システム１００は、顔写真情報照合部１と、受付端末２と、を備える。顔写真情報照合部１は、受付端末２が宿泊者ＧＳ１のチェックインの申し込みを示す入力を受け付けると、チェックイン時においてパスポートＰ１からスキャンされたチェックイン時パスポート顔写真情報と、チェックイン時において前記宿泊者ＧＳ１を撮影したチェックイン時撮影顔写真情報とを照合する。受付端末２は、顔写真情報照合部１が照合した結果、チェックイン時パスポート顔写真情報、及びチェックイン時撮影顔写真情報が示す人物が一致した場合、宿泊者ＧＳ１が予約した部屋の情報を表示し、宿泊者ＧＳ１が予約した部屋のカードキーを発行する。
【選択図】図１【図１】
0006777340.tif 000002
【図２】
0006777340.tif 000003
【図３】
0006777340.tif 000004
【図４】
0006777340.tif 000005
【図５】
0006777340.tif 000006